(57)【要約】【課題】映画館等の階段のステップ表示装置であって、確実に踏面を表示できると共に、取付け易く且つ必要最小限の光源で足りる経済的なものの提供。【解決手段】内部に反射手段４が設けられた細長い本体５の両端に一対のＬＥＤ６を配置し、そのＬＥＤ６の外周を光源被蔽体７で被蔽し、それを階段のコーナ部３に配置する。【選択図】　　　　図１
2004092238.tif 000002
【特許請求の範囲】
【請求項１】
階段の踏面（１）　とその立ち上がり面（２）　との境であるコーナ部（３）　に、そのコーナ部（３）　の長手方向へ軸線が沿うように固定される表示装置であって、
透光性を有し且つ、幅方向に反射光を放出する反射手段（４）　が設けられた透明または半透明の或いは乳白色の細長い本体（５）　と、
その本体（５）　の長手方向両端に固定されて、その本体（５）　の軸線方向に投光する一対のＬＥＤ（６）　と、
その軸線方向を除きＬＥＤ（６）　の外周を被嵌する非透光性の光源被蔽体（７）　と、
を具備する階段のステップ表示装置。
【請求項２】
請求項１において、
前記コーナ部（３）　に滑り止め体（８）　が取付られ、その滑り止め体（８）　の長手方向そって溝状部（９）　が形成され、その溝状部（９）　に前記ステップ表示装置が嵌着固定されたもの。
【請求項３】
請求項１または請求項２において、
前記本体（５）　が透明な中実体からなり、その内部の軸線に沿って反射手段（４）　が設けられた階段のステップ表示装置。
【請求項４】
請求項１〜請求項３のいずれかにおいて、
前記本体（５）　が中空透明体からなり、その内部に半透明の反射手段（４）　が挿入された階段のステップ表示装置。
【発明の詳細な説明】
【０００１】
【発明の属する技術分野】
本発明は、主として映画館やコンサートホール等の階段のコーナ部に夫々設けられる階段のステップ表示装置に関する。
【０００２】
【従来の技術】
映画館やコンサートホール等は、その消灯時に階段の各ステップを表示するために、比較的低出力の電燈を間接照明的に配置することがあった。
また、多数のＬＥＤ（発光ダイオード）を階段のコーナに並列して埋め込むことも考えられる。
【０００３】
【発明が解決しようとする課題】
電燈による間接照明は、全体として電力を多量に必要とすると共に、電燈を階段内部に配置する工事が極めて面倒となる欠点がある。
また、多数のＬＥＤを階段のコーナにそって並列する場合には、その工事が面倒であると共に、ＬＥＤの埋め込み部分においてのみ光が強く現れ、他の部分は暗くなり経済的ではない。また、ステージ上の演奏者にとって、多数のＬＥＤの光が目障りになり、演奏に集中できないおそれがある。
そこで、取付け易く且つ階段の踏面を確実に表示できると共に、必要最小限のＬＥＤで足りる目に優しいステップ表示装置を提供することを課題とする。
【０００４】
【課題を解決するための手段】
請求項１に記載の本発明は、階段の踏面（１）　とその立ち上がり面（２）　との境であるコーナ部（３）　に、そのコーナ部（３）　の長手方向へ軸線が沿うように固定される表示装置であって、
透光性を有し且つ、幅方向に反射光を放出する反射手段（４）　が設けられた透明または半透明の或いは乳白色の細長い本体（５）　と、
その本体（５）　の長手方向両端に固定されて、その本体（５）　の軸線方向に投光する一対のＬＥＤ（６）　と、
その軸線方向を除きＬＥＤ（６）　の外周を被嵌する非透光性の光源被蔽体（７）　と、
を具備する階段のステップ表示装置である。
【０００５】
請求項２に記載の本発明は、請求項１において、
前記コーナ部（３）　に滑り止め体（８）　が取付られ、その滑り止め体（８）　の長手方向そって溝状部（９）　が形成され、その溝状部（９）　に前記ステップ表示装置が嵌着固定されたものである。
請求項３に記載の本発明は、請求項１または請求項２において、
前記本体（５）　が透明な中実体からなり、その内部の軸線に沿って反射手段（４）　が設けられた階段のステップ表示装置である。
請求項４に記載の本発明は、請求項１〜請求項３のいずれかにおいて、
前記本体（５）　が中空透明体からなり、その内部に半透明の反射手段（４）　が挿入された階段のステップ表示装置である。
【０００６】
【発明の実施の形態】
次に、図面に基づいて本発明の実施の形態につき説明する。
図１は本発明の階段のステップ表示装置の要部横断面略図であり、図２におけるＩ−Ｉ矢視断面図である。また、図２は同表示装置の一部破断要部平面図、図３は同表示装置の一部破断平面図、図４は図３のＩＶ−ＩＶ矢視断面図である。
この例の階段のステップ表示装置は、図３及び図４に示す装置が、図１、図２の滑り止め体８の上面および側面に配置されたものである。
この例では図３に示す如く、一例として矩形のアクリルパイプからなる本体５に、僅かに乳白色の半透明体からなるシリコンチューブの反射手段４が挿入され、その両端部が本体５から露出する。そしてそのシリコンチューブからなる反射手段４の両端に一対のＬＥＤ６が挿入される。このシリコンチューブは、長手方向の各部で均一に光を乱反射すると共に、その軸線方向に光を伝達する。
【０００７】
さらにシリコンチューブからなる反射手段４の両端に一例としてアルミニュームの角パイプからなる光源被蔽体７が被嵌され、各ＬＥＤ６の電極が順次直列に連結される。そしてその接続部を含み光源被蔽体７の端部にシリコン材等からなるシール材１３が充填され、それが弾性的に硬化されたものである。
なお、リード線１１は光源被蔽体７の下面側に導かれ、図１および図２の如く滑り止め体８の溝状部９に嵌着固定される。
また、滑り止め体８は一例としてアルミニュームやプラスチックの押出材からなり、その上面にはゴム材１０が嵌着固定される。
このような表示装置は、各階段のステップ毎に配置される。
【０００８】
次に、図５は本体５の他の実施の形態を示し、この例は丸棒状の透明プラスチック１２の底部に骨白（コッパク）と呼ばれる反射手段４がインサート成形されたものである。この骨白は、透明アクリル材に光反射効率の高い白色アクリル材（光の吸収の極めて少ないもの）を混合したものである。
そしてこの反射手段４が図１において、踏面１または立ち上がり面２側に位置するように配置される。この反射手段４は、本体５の表面側から見ると拡大されて透明プラスチック１２の全幅に広がって見え、それによってＬＥＤ６の光は表面側の全幅に渡り均一に乱反射して放出される。
【０００９】
次に、図６は図５の変形であり、この例が図５のそれと異なる点は、透明プラスチック１２の断面の三方が矩形に形成され、上面が曲面に形成されたことである。このようにすることにより、本体５を溝状部９（図１）へ収納することが容易で且つ、その安定性が良くなる。
次に、図７は本発明のさらに他の本体５の横断面図であり、この例は透明プラスチック１２の軸線に前記骨白からなる反射手段４が挿入されたものである。
【００１０】
【発明の作用・効果】
本発明の階段のステップ表示装置は、その階段のコーナ部３に反射手段４を有する細長い本体５が配置され、本体５の両端に一対のＬＥＤ６が設けられ、夫々のＬＥＤ６の外周が光源被蔽体７で被嵌されたものである。従って、本体５の両端を除き本体５全体を弱く光らせることができる。それにより、電燈を消灯した際に階段の位置を明確に表示し且つ、階段の昇降が容易にできる。しかも眩しさを感ずることなく目に優しい表示装置を提供できる。
【００１１】
上記構成において、コーナ部３に滑り止め体８を設け、その滑り止め体８の溝状部９にステップ表示装置を固着することができる。それより、体裁が良く突出部を殆どなくして、昇降し易い安全な階段のステップ表示装置を提供できる。
上記構成において、本体５が透明な中実体からなり、その内部に軸線に沿って反射手段４が設けられたものにおいては、ＬＥＤ６からの光量の損失を少なくし且つ、効果的に階段の表面側に光を放出することができる。
上記構成において、本体５を中空透明体としその内部に半透明の反射手段４を挿入することができる。それより、製造し易く安価にステップ表示装置を提供できる。
【図面の簡単な説明】
【図１】本発明の階段のステップ表示装置の要部横断面であって、図２のＩ−Ｉ矢視断面図。
【図２】同ステップ表示装置の一部破断要部平面図。
【図３】同ステップ表示装置の一部破断平面図。
【図４】図３のＩＶ−ＩＶ矢視断面略図。
【図５】本発明の階段のステップ表示装置の本体５の他の実施の形態を示す横断面図。
【図６】本発明の階段のステップ表示装置の本体５のさらに他の実施の形態を示す横断面図。
【図７】本発明の階段のステップ表示装置の本体５のさらに他の実施の形態を示す横断面図。
【符号の説明】
１　踏面
２　立ち上がり面
３　コーナ部
４　反射手段
５　本体
６　ＬＥＤ（発光ダイオード）
７　光源被蔽体
８　滑り止め体
９　溝状部
１０　ゴム材
１１　　リード線
１２　　透明プラスチック
１３　　シール材
【図１】
2004092238.tif 000003
【図２】
2004092238.tif 000004
【図３】
2004092238.tif 000005
【図４】
2004092238.tif 000006
【図５】
2004092238.tif 000007
【図６】
2004092238.tif 000008
【図７】
2004092238.tif 000009